(57)【要約】【課題】排水用ヘッダーの長手方向のコンパクトを図ること。【解決手段】ヘッダー本管１Ａの両側に枝管接続部１４、１５を連結してなる排水用ヘッダー１において、汚物用枝管接続部１４をヘッダー本管１Ａに斜交するように連結するとともに、他の枝管接続部１５の連結部を、汚物用枝管接続部１４の連結部に対し、ヘッダー本管１Ａの管中心軸に沿う上流側にずらした位置に設けたもの。【選択図】  図１
2005002650.tif 000002
【特許請求の範囲】
【請求項１】
ヘッダー本管の両側に筒状の枝管接続部を連結してなる排水用ヘッダーにおいて、
一側の少なくとも１個の枝管接続部をその筒中心軸がヘッダー本管の管中心軸であって該枝管接続部の連結部より上流側の管中心軸に鋭角を介して斜交するように連結するとともに、
上記斜交枝管接続部に対し、ヘッダー本管の管中心軸を挟む反対側に他の枝管接続部を連結し、
上記他の枝管接続部の連結部を、ヘッダー本管に対する上記斜交枝管接続部の連結部に対し、該ヘッダー本管の管中心軸に沿う上流側にずらした位置に設けたことを特徴とする排水用ヘッダー。
【請求項２】
前記斜交枝管接続部を汚物排水用枝管が接続される汚物用枝管接続部としてなる請求項１に記載の排水用ヘッダー。
【請求項３】
前記枝管接続部の筒底を、ヘッダー本管の管底より上方に配置する請求項１又は２に記載の排水用ヘッダー。
【請求項４】
前記ヘッダー本管の管断面形状を卵形状とし、かつヘッダー本管の下部内面の曲率半径を上部内面の曲率半径よりも小さくする請求項１〜３のいずれかに記載の排水用ヘッダー。
【請求項５】
複数個の管継手の接続体からなり、
管継手は、ヘッダー本管を構成する継手本管を有し、継手本管の一端部に流入側接続部を設け、他端部に流出側接続部を設け、管壁の両側に枝管接続部を設け、管壁の上側に掃除口を設けてなる請求項１〜４のいずれかに記載の排水用ヘッダー。
【発明の詳細な説明】
【０００１】
【発明の属する技術分野】
本発明は住宅用排水システムに用いて好適な排水用ヘッダーに関する。
【０００２】
【従来の技術】
住宅用排水システムとして、特許文献１に記載の如く、建物内のトイレ、洗面所、浴室、台所等の排水設備に接続した複数の排水用枝管のそれぞれを、建物の床下等に配置した排水用ヘッダーが備える複数の枝管接続部のそれぞれに接続するとともに、この排水用ヘッダーを屋外の排水管に接続するものがある。
【０００３】
特許文献１の排水用ヘッダーは、ヘッダー本管の両側に筒状の枝管接続部を連結し、ヘッダー本管の管中心軸を挟む左右のいずれの側からでも排水用枝管を接続可能にし、排水用ヘッダーを用いる配管の自由度を向上可能にしている。
【０００４】
【特許文献１】
特開２００２−６１２４８（［００２０］、［００４０］、図５、図９）
【０００５】
【発明が解決しようとする課題】
特許文献１の如くの排水用ヘッダーでは、ヘッダー本管の両側に連結されて相対する２つの枝管接続部の該ヘッダー本管への連結口が、ヘッダー本管の管中心軸に直交する方向視で互いに重なり合ったり、重ならなくても近接している位置関係にある場合に、一方の枝管接続部をトイレに接続した汚物排水用枝管のための汚物用枝管接続部として用いると、汚物用枝管接続部からヘッダー本管に流入する汚物の一部が、ヘッダー本管を径方向に横切って相対する他方の枝管接続部に飛び込み侵入するおそれがある。他方の枝管接続部に侵入した汚物は、当該他方の枝管接続部に接続されている例えば洗面所の雑排水用枝管の少量の排水では搬送されずにそのまま留置されて固化し、配管つまりを引き起こす。
【０００６】
このため、特許文献１の排水用ヘッダーでは、ヘッダー本体の両側に連結されて相対する２つの枝管接続部の該ヘッダー本管への連結口を、ヘッダー本管の管中心軸に沿って大きく離隔したり、一方の枝管接続部に排水用枝管を接続した状態では、他方の枝管接続部に栓体を装着して不使用とする等の必要がある。この場合には、排水用ヘッダーの単位長さに対する排水用枝管の接続可能口数が少なくなり、排水用ヘッダーの長さ方向のコンパクトを図ることができない。
【０００７】
本発明の課題は、排水用ヘッダーの長手方向のコンパクトを図ることにある。
【０００８】
【課題を解決するための手段】
請求項１の発明は、ヘッダー本管の両側に筒状の枝管接続部を連結してなる排水用ヘッダーにおいて、一側の少なくとも１個の枝管接続部をその筒中心軸がヘッダー本管の管中心軸であって該枝管接続部の連結部より上流側の管中心軸に鋭角を介して斜交するように連結するとともに、上記斜交枝管接続部に対し、ヘッダー本管の管中心軸を挟む反対側に他の枝管接続部を連結し、上記他の枝管接続部の連結部を、ヘッダー本管に対する上記斜交枝管接続部の連結部に対し、該ヘッダー本管の管中心軸に沿う上流側にずらした位置に設けたものである。
【０００９】
請求項２の発明は、請求項１の発明において更に、前記斜交枝管接続部を汚物排水用枝管が接続される汚物用枝管接続部としてなるようにしたものである。
【００１０】
請求項３の発明は、請求項１又は２の発明において更に、前記枝管接続部の筒底を、ヘッダー本管の管底より上方に配置するようにしたものである。
【００１１】
請求項４の発明は、請求項１〜３のいずれかの発明において更に、前記ヘッダー本管の管断面形状を卵形状とし、かつヘッダー本管の下部内面の曲率半径を上部内面の曲率半径よりも小さくするようにしたものである。
【００１２】
請求項５の発明は、請求項１〜４の発明において更に、複数個の管継手の接続体からなり、管継手は、ヘッダー本管を構成する継手本管を有し、継手本管の一端部に流入側接続部を設け、他端部に流出側接続部を設け、管壁の両側に枝管接続部を設け、管壁の上側に掃除口を設けてなるようにしたものである。
【００１３】
【作用】
請求項１の発明によれば下記（１）、（２）の作用がある。
（１）ヘッダー本管の両側に連結されて相対する１つの枝管接続部と他の枝管接続部の該ヘッダー本管への連結口が、ヘッダー本管の管中心軸に直交する方向視で互いに重なり合ったり、近接していても、１つの枝管接続部からヘッダー本管に流入する流入物の一部が他方の枝管接続部に飛び込み侵入することを以下の如くにより防止できる。
【００１４】
１つの枝管接続部をヘッダー本管の上流側に対し鋭角をなすように斜交するとともに、この１つの枝管接続部に相対する他方の枝管接続部を該１つの枝管接続部に対する上流側にずらした。従って、１つの枝管接続部からヘッダー本管の斜め下流側に向けて流入する流入物の流れの向きに対し、他方の枝管接続部がその逆送方向になる上流側に存在するものになり、１つの枝管接続部から他方の枝管接続部への流入物の飛込みを防止できる。
【００１５】
（２）上述（１）の流入物の飛び込み防止作用は、１つの枝管接続部に対する他方の枝管接続部の上流側へのずらし長さが小さくても成り立つ。従って、ヘッダー本管の両側に連結されて相対する１つの枝管接続部と他の枝管接続部の該ヘッダー本管への連結口を、ヘッダー本管の管中心軸に直交する方向視で互いに重ね合い、又は近接させながら、それら２つの枝管接続部のそれぞれに排水用枝管を同時に接続して使用できる。従って、排水用ヘッダーの単位長さに対する排水用枝管の接続可能口数を多くでき、排水用ヘッダーの長さ方向のコンパクトを図ることができる。
【００１６】
請求項２の発明によれば下記（３）の作用がある。
（３）上述（１）の斜交枝管接続部を汚物用枝管接続部とすることにより、汚物用枝管接続部からヘッダー本管に流入する汚物の一部が他方の枝管接続部に飛び込み侵入することを防止できる。
【００１７】
請求項３の発明によれば下記（４）の作用がある。
（４）枝管接続部の筒底をヘッダー本管の管底より上方に配置した。従って、枝管接続部からヘッダー本管に流入する流入物は、枝管接続部からヘッダー本管の管底の側に落下し、相対する他方の枝管接続部への飛び込みの機会を失い易いものになる。
【００１８】
請求項４の発明によれば下記（５）の作用がある。
（５）ヘッダー本管の管断面形状を卵形状とし、かつヘッダー本管の下部内面の曲率半径を上部内面の曲率半径よりも小さくした。従って、ヘッダー本館の管底の断面積が小さくなって水位の上昇が早く、流入物を浮かした状態で押し流し易く、流入物の掃流性を向上できる。
【００１９】
請求項５の発明によれば下記（６）の作用がある。
（６）複数個の管継手を組合わせることにより、枝管接続部の口数の異なった各種の排水用ヘッダーを形成できる。排水用ヘッダーの成型のための型費用を低減できる。
【００２０】
【発明の実施の形態】
図１は第１実施形態の排水用ヘッダーを示し、（Ａ）は平面図、（Ｂ）は側面図、図２は管継手を示し、（Ａ）は平面図、（Ｂ）は正面図、（Ｃ）は側面図、図３は管継手を示す断面図、図４は管継手の変形例を示す断面図、図５は第２実施形態の排水用ヘッダーを示し、（Ａ）は平面図、（Ｂ）は側面図、図６は第３実施形態の排水用ヘッダーを示し、（Ａ）は平面図、（Ｂ）は側面図である。
【００２１】
（第１実施形態）（図１〜図４）
図１の排水用ヘッダー１は、１個の管継手１０と１個の上流接続継手２０と、１個の下流接続継手３０とから構成される。
【００２２】
管継手１０は、図２に示す如く、継手本管１１を有し、継手本管１１の一端部に差口状の流入側接続部１２を設け、他端部に受口状の流出側接続部１３を設け、管壁の両側に受口状の枝管接続部１４、１５を設け、管壁の上側に受口状の掃除口１６を設けている。管継手１０は、プラスチック成形品であり、継手本管１１に流入側接続部１２、流出側接続部１３、枝管接続部１４、１５、掃除口１６を一体成形して備える。
【００２３】
上流接続継手２０は、管継手１０の継手本管１１に設けた流入側接続部１２の差口内周面に嵌着される嵌合部２１を備えるとともに、住宅の排水設備等に接続される接続部２２を備える。上流側接続継手２０は、プラスチック成形品である。管継手１０に対して上流接続継手２０の接続部２２が形成する接続通路は、継手本管１１の管底より上方に配置される。
【００２４】
下流接続継手３０は、管継手１０の継手本管１１に設けた流出側接続部１３の受口外周面に嵌着される嵌合部３１を備えるとともに、屋外に延びる排水管等に接続される接続部３２を備える。下流接続継手３０は、プラスチック成形品である。管継手１０に対して下流接続継手３０の嵌合部３１、接続部３２が形成する接続通路は、継手本管１１の管底と同一レベルに配置される。
【００２５】
管継手１０の掃除口１６には、ネジ式タイプの蓋が着脱可能に装着される。
排水用ヘッダー１は、管継手１０の継手本管１１によりヘッダー本管１Ａを構成するものである。そして、排水用ヘッダー１は、ヘッダー本管１Ａ（継手本管１１）の管中心軸を挟む左右両側に大口径円筒状の枝管接続部（斜交枝管接続部）１４と、枝管接続部１４の口径以下の口径（本実施形態では小口径）をもつ円筒状の枝管接続部１５のそれぞれを連結しており、枝管接続部１４を汚物用とし、枝管接続部１５を雑排水用として用いる。即ち、一方の汚物用枝管接続部１４にはトイレに接続した汚物排水用枝管が接続され、他方の枝管接続部１５には例えば洗面所等に接続した雑排水用枝管が接続される。
【００２６】
排水用ヘッダー１において、汚物用枝管接続部１４はその筒中心軸がヘッダー本管１Ａ（継手本管１１）の管中心軸であって、ヘッダー本管１Ａ（継手本管１１）に対する汚物用枝管接続部１４の連結部（継手本管１１に対する付根部）より上流側の管中心軸に鋭角を介して斜交するように連結してある。
【００２７】
また、排水用ヘッダー１では、ヘッダー本管１Ａ（継手本管１１）に対する枝管接続部１５の連結部を、汚物用枝管接続部１４の連結部に対し、該ヘッダー本管１Ａ（継手本管１１）の管中心軸に沿う上流側にずらした位置に設けてある。本実施形態において、枝管接続部１５の筒中心軸は、ヘッダー本管１Ａ（継手本管１１）の管中心軸に対し直交配置される。但し、枝管接続部１５の筒中心軸は、ヘッダー本管１Ａ（継手本管１１）の管中心軸に対し斜交配置されても良い。
【００２８】
ここで、汚物用枝管接続部１４の連結部に対する枝管接続部１５の連結部をずらす状態は、好適には、枝管接続部１５の軸直角断面の口径を汚物用枝管接続部１４の軸直角断面の口径以下にするとき、（ａ）ヘッダー本管１Ａ（継手本管１１）の管中心軸に対し、汚物用枝管接続部１４の筒中心軸が交差する交点Ａ１と、枝管接続部１５の筒中心軸が交差する交点Ｂ１を定めたとき、Ｂ１がＡ１の上流側に位置する状態（図３）、又は（ｂ）ヘッダー本管１Ａ（継手本管１１）の管中心軸に直交する方向視で、汚物用枝管接続部１４の連結口１４Ａの最下流点Ａ２より、枝管接続部１５の連結口１５Ａの最下流点Ｂ２が上流側に位置する状態（図３）をいうものとする。尚、本実施形態においては、排水用ヘッダー１の長さ方向のコンパクトを図るため、汚物用枝管接続部１４の連結部に対する枝管接続部１５の連結部の最大とり得るずらし状態を、（ａ）枝管接続部１５の前述のＢ１が、汚物用枝管接続部１４の連結口１４Ａの最上流点Ａ３に合致する状態、又は（ｂ）枝管接続部１５の前述のＢ２が、汚物用枝管接続部１４の連結口１４Ａの最上流点Ａ３に合致する状態（図４）とするのが良い。
【００２９】
排水用ヘッダー１は、図２に示す如く、ヘッダー本管１Ａを構成する継手本管１１の管断面形状を卵形状とし、かつ継手本管１１の下部内面の曲率半径を上部内面の曲率半径より小さくしている。
【００３０】
排水用ヘッダー１は、図２に示す如く、枝管接続部１４、１５の筒底を、ヘッダー本管１Ａ（継手本管１１）の管底より上方に配置している。
【００３１】
尚、排水用ヘッダー１は、管継手１０、上流接続継手２０、下流接続継手３０をそれらの内部が透視可能な程度に透明な硬質塩化ビニル樹脂等にて成形したものとすることができる。
【００３２】
排水用ヘッダー１は建物の床下に配置されて用いられる。建物内のトイレに接続した汚物排水用枝管をヘッダー本管１Ａ（継手本管１１）の汚物用枝管接続部１４に接続し、洗面所等に接続した雑排水用枝管をヘッダー本管１Ａの他方の枝管接続部１５に接続する。尚、ヘッダー本管１Ａ（継手本管１１）の流入側接続部１２に接続した上流接続継手２０や他方の枝管接続部１５を不使用とする場合には、それらの接続継手２０や枝管接続部１５をキャップや蓋により閉塞する。ヘッダー本管１Ａ（継手本管１１）の流出側接続部に接続した下流接続継手３０に屋外の排水管を接続する。これにより、建物のトイレや洗面所等の排水はそれらの排水用枝管から排水用ヘッダー１に流れ込んで合流し、屋外の排水管に向けて排水処理される。
【００３３】
本実施形態によれば以下の作用がある。
（１）ヘッダー本管１Ａの両側に連結されて相対する汚物用枝管接続部１４と他の枝管接続部１５の該ヘッダー本管１Ａへの連結口１４Ａ、１５Ａが、ヘッダー本管１Ａの管中心軸に直交する方向視で互いに重なり合ったり、近接していても、汚物用枝管接続部１４からヘッダー本管１Ａに流入する汚物の一部が他方の枝管接続部１５に飛び込み侵入することを以下の如くにより防止できる。
【００３４】
汚物用枝管接続部１４をヘッダー本管１Ａの上流側に対し鋭角をなすように斜交するとともに、汚物用枝管接続部１４に相対する他方の枝管接続部１５を該汚物用枝管接続部１４に対する上流側にずらした。従って、汚物用枝管接続部１４からヘッダー本管１Ａの斜め下流側に向けて流入する汚物の流れの向きに対し、他方の枝管接続部１５がその逆送方向になる上流側に存在するものになり、汚物用枝管接続部１４から他方の枝管接続部１５への汚物の飛込みを防止できる。
【００３５】
（２）上述（１）の汚物の飛び込み防止作用は、汚物用枝管接続部１４に対する他方の枝管接続部１５の上流側へのずらし長さが小さくても成り立つ。従って、ヘッダー本管１Ａの両側に連結されて相対する汚物用枝管接続部１４と他の枝管接続部１５の該ヘッダー本管１Ａへの連結口１４Ａ、１５Ａを、ヘッダー本管１Ａの管中心軸に直交する方向視で互いに重ね合い、又は近接させながら、それら２つの枝管接続部１４、１５のそれぞれに排水用枝管を同時に接続して使用できる。従って、排水用ヘッダー１の単位長さに対する排水用枝管の接続可能口数を多くでき、排水用ヘッダー１の長さ方向のコンパクトを図ることができる。排水用ヘッダー１の短い全長の中で、全３口の枝管接続部１４、１５、上流接続継手２０の接続部２２を備える。
【００３６】
（３）汚物用枝管接続部１４の筒底をヘッダー本管１Ａの管底より上方に配置した。従って、汚物用枝管接続部１４からヘッダー本管１Ａに流入する汚物は、汚物用枝管接続部１４からヘッダー本管１Ａの管底の側に落下し、相対する他方の枝管接続部１５への飛び込みの機会を失い易いものになる。
【００３７】
（４）ヘッダー本管１Ａの管断面形状を卵形状とし、かつヘッダー本管１Ａの下部内面の曲率半径を上部内面の曲率半径よりも小さくした。従って、ヘッダー本館の管底の断面積が小さくなって水位の上昇が早く、汚物を浮かした状態で押し流し易く、汚物の掃流性を向上できる。
【００３８】
（第２実施形態）（図５）
第２実施形態の排水用ヘッダー２が第１実施形態の排水用ヘッダー１と異なる点は、排水用ヘッダー１における管継手１０と下流接続継手３０の間に、１個の管継手４０を直列的に介装したことにある。
【００３９】
管継手４０は、管継手１０の継手本管１１と同一の卵形状の管断面形状をもつ継手本管４１を有し、継手本管４１の一端部に流入側接続部４２を設け、他端部に流出側接続部４３を設け、管壁の両側に円筒状の枝管接続部４４、４５を設け、管壁の上側に掃除口４６を設けている。枝管接続部４４、４５は、管継手１０の枝管接続部１４より小口径とされていて汚物用としては不適であるが、雑排水用として用いられる。
【００４０】
排水用ヘッダー２にあっては、管継手１０の流入側接続部１２に上流接続継手２０の嵌合部２１を嵌着し、管継手１０の流出側接続部１３に管継手４０の流入側接続部４２を接続し、管継手４０の流出側接続部４３に下流接続継手３０の嵌合部３１を嵌着することにより、管継手１０、４０の継手本管１１、４１によりヘッダー本管２Ａを構成するものになる。管継手１０の継手本管１１と管継手４０の継手本管４１の管内面はそれらの接続部１３、４２を介して段差なく連結される。管継手１０に対する上流接続継手２０の接続通路は、継手本管１１の管底より上方に配置される。管継手４０に対する下流接続継手３０の接続通路は、継手本管４１の管底と同一レベルに配置される。
【００４１】
排水用ヘッダー２によれば、複数個の管継手１０、４０を組合わせることにより、枝管接続部１４、１５、４４、４５、上流接続継手２０の接続部２２の口数の異なる排水用ヘッダーを形成できる。排水用ヘッダー２の成形のための型費用を軽減できる。そして、排水用ヘッダー２の短い全長の中で、全５個の枝管接続部１４、１５、４４、４５、上流接続継手２０の接続部２２を備えるものとなる。
【００４２】
（第３実施形態）（図６）
第３実施形態の排水用ヘッダー３が第１実施形態の排水用ヘッダー１と異なる点は、排水用ヘッダー１における管継手１０と下流接続継手３０の間に、第２実施形態で用いた管継手４０を２個直列的に介装したことにある。
【００４３】
排水用ヘッダー３２にあっては、管継手１０の流入側接続部１２に上流接続継手２０の嵌合部２１を嵌着し、管継手１０の流出側接続部１３に管継手４０の流入側接続部４２を接続し、管継手４０の流出側接続部４３に他の管継手４０の流入側接続４２を接続し、この他の管継手４０の流出側接続部４３に下流接続継手３０の嵌合部３１を嵌着することにより、管継手１０、４０、４０の継手本管１１、４１、４１によりヘッダー本管３Ａを構成するものになる。管継手１０の継手本管１１と２個の管継手４０の継手本管４１の管内面はそれらの接続部１３、４２、４３を介して段差なく連結される。
【００４４】
排水用ヘッダー３によれば、複数個の管継手１０、４０、４０を組合わせることにより、枝管接続部１４、１５、４４、４５、上流接続継手２０の接続部２２の口数の異なる排水用ヘッダーを形成できる。排水用ヘッダー３の成型のための型費用を軽減できる。そして、排水用ヘッダー３の短い全長の中で、全７個の枝管接続部１４、１５、４４、４５、４４、４５、上流接続継手２０の接続部２２を備えるものになる。
【００４５】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、斜交枝管接続部１４を汚物用に限らず、他の流入物用として用いることもできる。
【００４６】
【発明の効果】
本発明によれば、排水用ヘッダーにおけるヘッダー本管の両側に枝管接続部を連結して配管の自由度を向上しながら、排水用ヘッダーの長さ方向のコンパクトを図ることができる。
【図面の簡単な説明】
【図１】図１は第１実施形態の排水用ヘッダーを示し、（Ａ）は平面図、（Ｂ）は側面図である。
【図２】図２は管継手を示し、（Ａ）は平面図、（Ｂ）は正面図、（Ｃ）は側面図である。
【図３】図３は管継手を示す断面図である。
【図４】図４は管継手の変形例を示す断面図である。
【図５】図５は第２実施形態の排水用ヘッダーを示し、（Ａ）は平面図、（Ｂ）は側面図である。
【図６】図６は第３実施形態の排水用ヘッダーを示し、（Ａ）は平面図、（Ｂ）は側面図である。
【符号の説明】
１、２、３  排水用ヘッダー
１Ａ、２Ａ、３Ａ  ヘッダー本管
１０  管継手
１１  継手本管
１２  流入側接続部
１３  流出側接続部
１４、１５  枝管接続部
１６  掃除口
４０  管継手
４１  継手本管
４２  流入側接続部
４３  流出側接続部
４４、４５  枝管接続部
４６  掃除口
【図１】
2005002650.tif 000003
【図２】
2005002650.tif 000004
【図３】
2005002650.tif 000005
【図４】
2005002650.tif 000006
【図５】
2005002650.tif 000007
【図６】
2005002650.tif 000008